(57)【特許請求の範囲】
【請求項１】
帯状のバンド基材に特定情報を表示可能としているとともに、
手首や足首などの被巻付け部に巻き付け可能な複数のリストバンドを連続して形成している帯状のリストバンド連続体であって、
前記バンド基材は、
バンド支持部と、外縁境界線を介してこのバンド支持部の内方領域に形成した前記リストバンドと、を有し、
前記リストバンドは、
母親用リストバンドと、子供用リストバンドと、を内縁境界線を介して互いに隣り合わせに一体的に形成しているとともに、
この内縁境界線の分離強度を前記外縁境界線の分離強度より大きくしてあることを特徴とするリストバンド連続体。
【請求項２】
前記外縁境界線および前記内縁境界線は、前記バンド基材の厚さ方向にほぼ半分の深さで形成したハーフカットによる切り目を有することを特徴とする請求項１記載のリストバンド連続体。
【請求項３】
前記内縁境界線には、もろい一部接続部を形成してあることを特徴とする請求項１または２記載のリストバンド連続体。
【請求項４】
前記バンド支持部は、互いの間に設けた切断可能な接続線を介してこれらを接続してあることを特徴とする請求項１ないし３のいずれかに記載のリストバンド連続体。
【請求項５】
当該リストバンド連続体は、プリンターにこれを装填して前記バンド基材の表面に印字可能としてあるとともに、
その移送方向上流側における前記外縁境界線の端部を、前記バンド基材の厚さ方向に貫通して形成したフルカットとしてあることを特徴とする請求項１ないし４のいずれかに記載のリストバンド連続体。
【請求項６】
前記リストバンドは、その両端部を弧状端部としてあるとともに、前記バンド支持部からの前記リストバンドの分離方向上流側におけるこの一方の弧状端部を、前記バンド基材の厚さ方向に貫通して形成したフルカットとしてあることを特徴とする請求項１ないし５のいずれかに記載のリストバンド連続体。
【請求項７】
前記母親用リストバンドは、これをより大型のものとするとともに、
前記子供用リストバンドは、これをより小型のものとしていることを特徴とする請求項１ないし６のいずれかに記載のリストバンド連続体。
【請求項８】
前記バンド支持部からの前記子供用リストバンドの分離方向下流側における端部を、前記バンド基材の厚さ方向に貫通して形成したフルカットとしてあることを特徴とする請求項７記載のリストバンド連続体。
【請求項９】
前記母親用リストバンドおよび前記子供用リストバンドは、それぞれの分離用端部を半円弧状とした弧状端部を有するとともに、
前記母親用リストバンドおよび前記子供用リストバンドにおけるそれぞれの分離開始側弧状端部を互いに横並びに位置させるとともに、
それぞれの分離開始側弧状端部、および前記子供用リストバンドの分離終了側弧状端部を、前記バンド基材の厚さ方向に貫通して形成したフルカットとしてあることを特徴とする請求項７記載のリストバンド連続体。
【請求項１０】
前記母親用リストバンドおよび前記子供用リストバンドは、それぞれ印字領域を有し、前記内縁境界線にまたがって、前記特定情報に関連するバーコードをこの印字領域に印字可能としていることを特徴とする請求項１ないし９のいずれかに記載のリストバンド連続体。
【請求項１１】
前記母親用リストバンドおよび前記子供用リストバンドは、同一のデザインによる装飾を施していることを特徴とする請求項１ないし１０のいずれかに記載のリストバンド連続体。
【請求項１２】
バンド基材から構成し、このバンド基材の表面に特定情報を表示可能としているとともに、手首や足首などの被巻付け部に巻き付け可能なリストバンドであって、
前記バンド基材は、バンド支持部と、外縁境界線を介してこのバンド支持部の内方領域に形成した当該リストバンドと、を有し、
当該リストバンドは、母親用リストバンドと、子供用リストバンドと、を内縁境界線を介して互いに隣り合わせに一体的に形成しているとともに、
この内縁境界線の分離強度を前記外縁境界線の分離強度より大きくしてあることを特徴とするリストバンド。
【発明の詳細な説明】
【技術分野】
【０００１】
本発明はリストバンド連続体およびリストバンドにかかるもので、とくに医療分野などで患者の手首や足首などに巻き付けるようにして取り付けることにより、患者を特定することができるようにしたリストバンド連続体およびリストバンドに関するものである。
【背景技術】
【０００２】
従来から、とくに医療用のリストバンドには、入院患者の氏名、生年月日や性別その他必要な情報（特定情報）を記載ないし印字により表示して手首や足首など（被巻付け部）に巻き付けることにより本人を特定可能とし、検査や治療時に本人の照合を可能としている。
【０００３】
しかしながら、産婦人科あるいは救急事故などにおける母親および乳幼児ないし子供用のリストバンドは従来、それぞれが別個に準備され、取り付けられることが多かった。
具体的には、出産予定の母親が入院した時点で母親用のリストバンドを発行して母親に取り付けるとともに、出産にともない子供用のリストバンドを別途発行して出生児に取り付ける。
このようなリストバンドの構成ないしは発行手順は、母子の特定に誤りが生じて、出生児などの取違いの可能性をともなうという問題がある。
【０００４】
なお、特許文献１のように、母親用リストバンドおよび子供用リストバンドを一体的に形成して、母親にこれらを一緒に取り付けておき、出生にともなって子供用リストバンドを母親用リストバンドから分離して出生児に取り付けるようにした母子一体型のリストバンドも工夫されている。
しかしながら、バンド本体からリストバンドを分離するためのミシン目その他による切り目の分離強度が一様であるため、母子一体型としてリストバンドを分離する際に、子供用リストバンドが母親用リストバンドから分離してしまったり、母親に取り付けてある母子一体型のリストバンドから子供用リストバンドが不用意に分離して紛失してしまうなどの諸問題がある。
【先行技術文献】
【特許文献】
【０００５】
【特許文献１】特開２００３−１５７０１０号公報
【発明の概要】
【発明が解決しようとする課題】
【０００６】
本発明は以上のような諸問題にかんがみなされたもので、母親用および子供用として一体的に使用可能なリストバンド連続体およびリストバンドを提供することを課題とする。
【０００７】
また本発明は、リストバンドとして分離する際、および母親用リストバンドから子供用リストバンドを分離する際に支障が生じないようにしたリストバンド連続体およびリストバンドを提供することを課題とする。
【０００８】
また本発明は、リストバンドとして分離する際、および母親用リストバンドと子供用リストバンドとを母親に取り付けた際に、子供用リストバンドが不用意に分離してしまわないようにしたリストバンド連続体およびリストバンドを提供することを課題とする。
【課題を解決するための手段】
【０００９】
すなわち本発明は、母親用リストバンドと子供用リストバンドとの間の分離強度をより大きくすることに着目したもので、第一の発明は、帯状のバンド基材に特定情報を表示可能としているとともに、手首や足首などの被巻付け部に巻き付け可能な複数のリストバンドを連続して形成している帯状のリストバンド連続体であって、上記バンド基材は、バンド支持部と、外縁境界線を介してこのバンド支持部の内方領域に形成した上記リストバンドと、を有し、上記リストバンドは、母親用リストバンドと、子供用リストバンドと、を内縁境界線を介して互いに隣り合わせに一体的に形成しているとともに、この内縁境界線の分離強度を上記外縁境界線の分離強度より大きくしてあることを特徴とするリストバンド連続体である。
【００１０】
第二の発明は、バンド基材から構成し、このバンド基材の表面に特定情報を表示可能としているとともに、手首や足首などの被巻付け部に巻き付け可能なリストバンドであって、上記バンド基材は、バンド支持部と、外縁境界線を介してこのバンド支持部の内方領域に形成した当該リストバンドと、を有し、当該リストバンドは、母親用リストバンドと、子供用リストバンドと、を内縁境界線を介して互いに隣り合わせに一体的に形成しているとともに、この内縁境界線の分離強度を上記外縁境界線の分離強度より大きくしてあることを特徴とするリストバンドである。
【００１１】
上記外縁境界線および上記内縁境界線は、上記バンド基材の厚さ方向にほぼ半分の深さで形成したハーフカットによる切り目を有することができる。
【００１２】
上記内縁境界線には、もろい一部接続部を形成してあることができる。
【００１３】
上記バンド支持部は、互いの間に設けた切断可能な接続線を介してこれらを接続してあることができる。
【００１４】
当該リストバンド連続体は、プリンターにこれを装填して上記バンド基材の表面に印字可能としてあるとともに、その移送方向上流側における上記外縁境界線の端部を、上記バンド基材の厚さ方向に貫通して形成したフルカットとしてあることができる。
【００１５】
当該リストバンドは、その両端部を弧状端部としてあるとともに、上記バンド支持部からの当該リストバンドの分離方向上流側におけるこの一方の弧状端部を、上記バンド基材の厚さ方向に貫通して形成したフルカットとしてあることができる。
【００１６】
上記母親用リストバンドは、これをより大型のものとするとともに、上記子供用リストバンドは、これをより小型のものとしていることができる。
【００１７】
上記バンド支持部からの上記子供用リストバンドの分離方向下流側における端部を、上記バンド基材の厚さ方向に貫通して形成したフルカットとしてあることができる。
【００１８】
上記母親用リストバンドおよび上記子供用リストバンドは、それぞれの分離用端部を半円弧状とした弧状端部を有するとともに、上記母親用リストバンドおよび上記子供用リストバンドにおけるそれぞれの分離開始側弧状端部を互いに横並びに位置させるとともに、それぞれの分離開始側弧状端部、および上記子供用リストバンドの分離終了側弧状端部を、上記バンド基材の厚さ方向に貫通して形成したフルカットとしてあることができる。
【００１９】
上記母親用リストバンドおよび上記子供用リストバンドは、それぞれ印字領域を有し、上記内縁境界線にまたがって、上記特定情報に関連するバーコードをこの印字領域に印字可能としていることができる。
【００２０】
上記母親用リストバンドおよび上記子供用リストバンドは、同一のデザインによる装飾を施していることができる。
【発明の効果】
【００２１】
本発明によるリストバンド連続体およびリストバンドにおいては、外縁境界線を介してバンド支持部の内方領域に、リストバンドとして母親用リストバンドおよび子供用リストバンドを内縁境界線を介して互いに隣り合わせに一体的に形成しているとともに、この内縁境界線の分離強度を外縁境界線の分離強度より大きくしてあるので、バンド支持部からリストバンドを切り離す際に子供用リストバンドが不用意に切り離されてしまうおそれがないとともに、母親に取り付けられているリストバンドから子供用リストバンドが不用意に分離してしまうおそれもなく、リストバンドによる母子の特定を確実化して、患者に関する情報管理を保障し、出生児の取違いなどの事故を未然に防止可能である。
【００２２】
とくに第一の発明のリストバンド連続体によれば、複数のリストバンドを帯状に連続して設けているので、任意の方式のプリンターにこれを装填し、母子に関する特定情報を必要に応じて印字し、表示することができるとともに、使用時に単一のバンド基材からリストバンド（母親用リストバンドおよび子供用リストバンド）を分離して母親に取り付けることができる。
【００２３】
とくに第二の発明のリストバンドによれば、リストバンドとしてバンド支持部から分離する際に、母親用リストバンドから子供用リストバンドを不用意に切り離してしまうことなく一体的に分離することができるとともに、母親に母親用リストバンドから子供用リストバンドを一体的に取り付けている際にも、母親用リストバンドから子供用リストバンドが不用意に外れてしまうことを防止可能である。
【図面の簡単な説明】
【００２４】
【図１】本発明の第１の実施例によるリストバンド連続体１をロール状に巻いた状態の斜視図である。
【図２】同、リストバンド連続体１を帯状に延ばした状態の平面図である。
【図３】同、熱転写プリンター１１の概略側面図である。
【図４】同、母親用リストバンド７および子供用リストバンド８にバーコード２４およびその他必要な特定情報２５を目視可能に印字して表示した状態を示すバンド基材２の平面図である。
【図５】同、リストバンド連続体１によるリストバンド４を母親および子供に巻き付ける操作の説明図であって、図５（１）は、リストバンド４をバンド支持部３から分離した状態の平面図、図５（２）は、リストバンド４を母親の手首Ｗ１に巻き付けた状態を示す斜視図、図５（３）は、リストバンド４の母親用リストバンド７を母親の手首Ｗ１に巻き付けるとともに、リストバンド４の子供用リストバンド８を子供の手首Ｗ２に巻き付けた状態を示す斜視図である。
【図６】同、本発明の第２の実施例によるリストバンド連続体４０の平面図である。
【図７】同、母親用リストバンド４２さらには第１の子供用リストバンド４３および第２の子供用リストバンド４４にバーコード２４およびその他必要な特定情報２５を目視可能に印字して表示した状態を示すバンド基材２の平面図である。
【発明を実施するための形態】
【００２５】
本発明は、子供用リストバンドを母親用リストバンドから分離する強度を、母親用リストバンドおよび子供用リストバンド全体としてのリストバンドをバンド支持部から分離する強度より大きく構成したので、母子一体型としてのリストバンドをより切れやすくし、バンド支持部から母親用リストバンドおよび子供用リストバンドを一緒に分離する際、および母親に取り付けている際に、母親用リストバンドから子供用リストバンドが不用意に分離してしまうおそれがなく、母親および子供の特定機能を正しく保持し、子供の取違いなどの事故を未然に防止可能なリストバンド連続体およびリストバンドを実現した。
【実施例】
【００２６】
つぎに本発明の第１の実施例によるリストバンド連続体１およびリストバンド４を図１ないし図５にもとづき説明する。
図１は、リストバンド連続体１をロール状に巻いた状態の斜視図、図２は、リストバンド連続体１を帯状に延ばした状態の平面図であって、リストバンド連続体１は、帯状のバンド基材２の表面に特定情報を表示可能としているとともに、手首や足首などの被巻付け部に巻き付け可能な複数のリストバンドを連続して形成している。
【００２７】
バンド基材２は、複数のバンド支持部３と、それぞれのバンド支持部３内に形成した複数のリストバンド４と、を有する。
バンド基材２自体の材料は、人体に接触する裏面側および特定情報を表示する表面側のそれぞれ特性に適した任意のものを選択するが、裏面側は柔軟かつ通気性に優れ、表面側は印字ないし印刷可能なものが望ましく、それぞれの機能に応じて必要な基材を積層する構造を採用することができる。
【００２８】
また、バンド基材２は、リストバンド連続体１の製造工程において、バンド基材２の材料に二酸化炭素吸収剤を添加することができる。
この二酸化炭素吸収剤としては、たとえば無機系の二酸化炭素吸収剤からこれを構成し、ナノメートル（ｎｍ＝１０−９ｍ）のレベルにまで微粒子化しているとともに、バンド基材２全体にわたって均一に分散させていることが望ましい。たとえば、粒子径としては少なくとも１μｍ未満、より好ましくは１０〜１００ｎｍ程度とすることができる。
ナノメートルのレベルまで微粒子化している二酸化炭素吸収剤としては、たとえばアクテイブ株式会社製のナノベシクル二酸化炭素削減添加剤を用いることができる。
このような二酸化炭素球乳剤を添加しておくことにより、焼却炉（図示せず）における焼却処理において、リストバンド４も焼却されることになるが、加熱による燃焼により二酸化炭素（ＣＯ２ガス）が発生し、二酸化炭素が二酸化炭素吸収剤に吸着されることになる。
とくに、二酸化炭素吸収剤がナノレベル（たとえば１０〜１００ｎｍ程度）にまで微粒子化されているとともに均一に分散しているので、二酸化炭素を効率的に吸収可能である。
なおまた、バンド基材２全体を抗菌仕様とすることが望ましい。
【００２９】
バンド支持部３は、一枚単位のリストバンド４を有するもので、リストバンド４をバンド基材２からリストバンド４を取り除いたのちには、使用することなく破棄する領域である。
バンド支持部３は、互いの間に設けた切断可能なミシン目などによる接続線５を介してこれらを接続してある。
【００３０】
リストバンド４は、 外縁境界線６を介してこのバンド支持部３の内方領域に形成したもので、母親用リストバンド７と、子供用リストバンド８と、を内縁境界線９を介して互いに隣り合わせに一体的に形成している。
外縁境界線６は、リストバンド４の外縁部ないしは外形線を構成するもので、母親用リストバンド７および子供用リストバンド８をその内方部に位置させ、この外縁境界線６の部分でリストバンド４をバンド支持部３から一体的に分離させる。
内縁境界線９は、母親用リストバンド７および子供用リストバンド８の隣接する境界部に直線的に位置しているもので、この内縁境界線９の部分で母親用リストバンド７と子供用リストバンド８とを分離させる。
【００３１】
母親用リストバンド７は、これを子供用リストバンド８より大型としているとともに、子供用リストバンド８は、これを母親用リストバンド７より小型としている。
具体的には、母親用リストバンド７の方がより長くかつ幅が太く、母親用リストバンド７および子供用リストバンド８をそれぞれ母子の手首ないし足首（被巻付け部）のサイズに合わせている。
【００３２】
図２に一部を拡大した断面で示すように、外縁境界線６および内縁境界線９は、バンド基材２の裏面側からバンド基材２の厚さ方向にほぼ半分の深さで形成したハーフカットによる切り目を有して、バンド支持部３からのリストバンド４の分離、およびリストバンド４における母親用リストバンド７からの子供用リストバンド８の分離を可能としている。
ただし、内縁境界線９における子供用リストバンド８の端部近傍には、接続線５などのミシン目と同等の強さで必要数（図示の例では、二個）のもろい一部接続部１０をそれぞれ形成している。もろい一部接続部１０は、ハーフカットによる切り目で形成された内縁境界線９の端部近傍の一部を、ハーフカットによる切り目を形成しないで所々繋がった状態（いわゆる点留め）にすることによって、内縁境界線９の部分を外縁境界線６の部分より切り離しにくくしてある。
かくして、内縁境界線９の分離強度を外縁境界線６の分離強度より大きくしてある。
【００３３】
なお、もろい一部接続部１０を２個以上形成する場合は、もろい一部接続部１０と、隣接する他のもろい一部接続部１０との間に挟まれている内縁境界線９のみをフルカットとしてもよい。そうすることにより、母親用リストバンド７から子供用リストバンド８が分離してしまうおそれを回避するとともに、母親用リストバンド７から子供用リストバンド８を分離する際に子供用リストバンド８の端部最近傍のもろい一部接続部１０まで切離すことができれば、その後の切離し操作を容易にすることができる。
【００３４】
当該リストバンド連続体１は、任意の方式によるプリンターにこれを装填してバンド基材２（リストバンド４）の表面に印字可能としてある。
図３は、上記プリンターの一例としての熱転写プリンター１１の概略側面図であって、熱転写プリンター１１は、リストバンド連続体１の供給部１２と、位置検出部１３と、印字部１４と、を有する。
【００３５】
供給部１２は、リストバンド連続体１をロール状に保持し、位置検出部１３および印字部１４方向に向かってリストバンド連続体１を帯状に繰り出し可能としている。
【００３６】
位置検出部１３は、任意の方式による位置検出センサー１５を有し、リストバンド連続体１におけるバンド支持部３の裏面側に形成した位置検出用マーク１６を検出して、印字部１４に対するリストバンド連続体１（リストバンド４）の相対位置を検出する。
なお、位置検出用マーク１６は、これをリストバンド４の裏面内に配置させないようにして、母子の肌にそのインキが接触しないようにすることが望ましい。
また、位置検出用マーク１６の代わりに、バンド支持部３の任意の部位、あるいはリストバンド４の後記セット孔２７、２８および調節孔２９、３０（図２）とは異なる列の部位に位置検出用貫通孔（図示せず）を形成して、上記相対位置検出に用いることもできる。
【００３７】
印字部１４は、サーマルヘッド１７と、プラテンローラー１８と、熱転写インキリボン１９の供給軸２０および巻取り軸２１と、を有し、プラテンローラー１８の回転駆動にともなってリストバンド連続体１を移送するとともに、サーマルヘッド１７の部分で母親および子供に関する特定情報を印字する。
【００３８】
このような構成の熱転写プリンター１１により、出産予定の母親が入院した時点で、母親用リストバンド７の母親用印字領域２２および子供用リストバンド８の子供用印字領域２３にそれぞれ必要な特定情報を可変情報として印字する。
ただし、母親用印字領域２２および子供用印字領域２３において、内縁境界線９にまたがって、特定情報に関連するバーコード２４を印字することができ、かくすれば、一度に母子とも同一の特定情報を確実に印字表示しておくとともに、子供用リストバンド８を母親用リストバンド７から切り離したのちも母子共通のコード管理が可能である（図４、図５）。
図４は、母親用リストバンド７および子供用リストバンド８にバーコード２４およびその他必要な特定情報２５を目視可能に印字して表示した状態を示すバンド基材２の平面図である。
【００３９】
図２に戻って、既述のようにリストバンド４は、ハーフカットを形成した外縁境界線６によりバンド支持部３から分離可能とするとともに、同じくハーフカットを形成した内縁境界線９により母親用リストバンド７から８を分離可能としているが、より詳細には、リストバンド４の長さ方向における外縁境界線６および内縁境界線９の直線部分をハーフカットとしている一方、リストバンド４の分離用端部としての両端部を半円弧状の弧状端部として、バンド支持部３からのリストバンド４の分離方向上流側におけるこの一方の弧状端部を、バンド基材２の厚さ方向に貫通して形成したフルカットとしてある。
すなわち、図２に一部を拡大した断面で示すように、母親用リストバンド７および子供用リストバンド８は、それぞれの分離用端部を半円弧状とした弧状端部（分離開始側弧状端部７Ａ、８Ａ、および分離終了側弧状端部７Ｂ、８Ｂ）を有しており、母親用リストバンド７および子供用リストバンド８の分離開始側弧状端部７Ａ、８Ａを横並びに位置させるとともに、それぞれの分離開始側弧状端部７Ａ、８Ａを、バンド基材２の厚さ方向に貫通して形成したフルカットとしてある。
【００４０】
換言すれば、リストバンド４の分離方向上流側とは、リストバンド４の移送方向上流側のことであり、熱転写プリンター１１におけるリストバンド４の移送方向上流側にある外縁境界線６の端部（分離開始側弧状端部７Ａ、８Ａ）を、バンド基材２の厚さ方向に貫通して形成したフルカットとしてある。リストバンド連続体１を熱転写プリンター１１に装填して移送印字する際にも、これらの弧状端部（分離開始側弧状端部７Ａ、８Ａ）が捲れ上がるおそれはないとともに、バンド支持部３からリストバンド４をはがし取り始める際に利用することができる。なお、分離開始側弧状端部７Ａ、８Ａの部分に、はがし用の矢印２６をあらかじめ印刷し、必要であれば、「ここからはがしてください。」などの説明文（図示せず）を表示しておいてもよい。
ただし、母親用リストバンド７の分離終了側弧状端部７Ｂは移送方向最下流側に位置しているので、これをハーフカットとし、上記熱転写プリンター１１にリストバンド連続体１を装填して移送印字する際の捲れ上がりを防止可能としている。
また、第１の実施例では、子供用リストバンド８の分離終了側弧状端部８Ｂにおいてもハーフカットとしてあるが、フルカットとしてあっても良い。子供用リストバンド８の分離終了側弧状端部８Ｂはフルカットとしてあっても、母親用リストバンド７の分離終了側弧状端部７Ｂより移送方向上流側に位置しているので、フルカットとしてあっても、熱転写プリンター１１においてこの分離終了側弧状端部８Ｂが捲れ上がるおそれは少ないとともに、子供用リストバンド８を母親用リストバンド７とともにバンド支持部３から切り離す際にこの分離終了側弧状端部８Ｂの部分が切離し操作の支障になることはない。
なお、分離終了側弧状端部８Ｂをフルカットにする場合、子供用リストバンド８の上記分離終了側弧状端部８Ｂの最先端弧状部８Ｃをハーフカットとして、熱転写プリンター１１内での移送印字時における捲れ上がりの防止を確実化し、この最先端弧状部８Ｃから内縁境界線９に至る弧状部分およびこの弧状部分に対向する母親用リストバンド７における外縁境界線６の弧状部分対向直線部７Ｃについては、外縁境界線６であっても、これをフルカットとしておくことにより、バンド支持部３からリストバンド４として分離する際の切離し操作を確実にするように構成することもできる。
【００４１】
なお、母親用リストバンド７および子供用リストバンド８の母親用印字領域２２および子供用印字領域２３の両端部側には、それぞれ任意の数のセット孔２７、２８、および調節孔２９、３０を形成してあって、母親用固定用クリップ３１および子供用固定用クリップ３２（図５（３））により母親用リストバンド７および子供用リストバンド８をリング状に留めることができるようになっている。
【００４２】
さらに、バンド支持部３の余白部分に、熱転写プリンター１１における移送方向を示す印字進行方向矢印３３をあらかじめ印刷してある。
なお、印字進行方向矢印３３は、熱転写プリンター１１におけるリストバンド連続体１およびリストバンド４の印字方向を示すものであるとともに、熱転写プリンター１１におけるリストバンド連続体１およびリストバンド４の移送方向を示すものでもある（図３）。
【００４３】
また、母親用リストバンド７および子供用リストバンド８は、同一のデザインによる任意の装飾（図示せず）を施すことにより、それぞれの一体性をより確実に視認可能としている。
ただし、母親用リストバンド７の地色をピンクとし、子供用リストバンド８の地色を黄色など異なる色とした上で、図柄などを同一系統のものとすることにより、デザインはそれぞれ統一感があるものの、母親用リストバンド７と子供用リストバンド８とを識別可能とするようにすることもできる。
【００４４】
こうした構成のリストバンド連続体１によるリストバンド４を母子に巻き付ける操作について図５にもとづき説明する。
図５は、リストバンド連続体１によるリストバンド４を母親および子供に巻き付ける操作の説明図であって、図５（１）は、リストバンド４をバンド支持部３から分離した状態の平面図、図５（２）は、リストバンド４を母親の手首Ｗ１に巻き付けた状態を示す斜視図、図５（３）は、リストバンド４の母親用リストバンド７を母親の手首Ｗ１に巻き付けるとともに、リストバンド４の子供用リストバンド８を子供の手首Ｗ２に巻き付けた状態を示す斜視図である。
【００４５】
図３に示した熱転写プリンター１１により、図４に示すように、リストバンド４の母親用印字領域２２および子供用印字領域２３にバーコード２４および特定情報２５などを印字し、ミシン目などによる接続線５の部分で切断し、一枚のバンド支持部３およびリストバンド４を得る。
この印字の際に、リストバンド４における移送方向の下流側に位置する分離終了側弧状端部７Ｂは、ハーフカットであり、移送方向の上流側に位置する分離開始側弧状端部７Ａおよび分離開始側弧状端部８Ａはフルカットであるため、印字の途中において、リストバンド４がバンド支持部３から分離してしまうおそれはない。
なお、子供用リストバンド８は、分離終了側弧状端部８Ｂをフルカットにした場合でも、その形成割合が小さいため大きな影響はない。
【００４６】
図５（１）に示すように、リストバンド４全体（母親用リストバンド７および子供用リストバンド８）をバンド支持部３から分離する。この分離操作の際に、母親用リストバンド７および子供用リストバンド８の分離開始側弧状端部７Ａおよび分離開始側弧状端部８Ａがフルカットであるので、この部分から分離を開始すれば、簡単に切離し操作を実行可能である。
なお、子供用リストバンド８の分離終了側弧状端部８Ｂをフルカットにした場合、分離終了側弧状端部８Ｂの弧状部分がリストバンド４のバンド支持部３からの分離方向に逆らってはいても、分離終了側弧状端部８Ｂはバンド支持部３から確実に分離可能である。
【００４７】
つぎに図５（２）に示すように、母親用リストバンド７および子供用リストバンド８が一体に接続状態のままで、母親用リストバンド７のセット孔２７および調節孔２９を合わせて、固定用クリップ３１により母親の手首Ｗ１にリストバンド４を巻き付けて取り付け固定する。
【００４８】
図５（３）に示すように、出生児が生まれたときには、母親の手首Ｗ１からリストバンド４のうち子供用リストバンド８の部分を内縁境界線９においてそのハーフカットおよびもろい一部接続部１０を引き裂くようにして母親用リストバンド７から切り離し、子供用リストバンド８のセット孔２８および調節孔３０を合わせて、固定用クリップ３２により出生児の手首Ｗ２に子供用リストバンド８を巻き付けて取り付ける。
【００４９】
かくして、リストバンド４への印字、およびバンド支持部３からリストバンド４の分離操作、さらには母親の手首Ｗ１への巻付けを支障なく容易に行うことができるとともに、もろい一部接続部１０が内縁境界線９に形成されているために、分離強度が内縁境界線９と外縁境界線６との間で二段階となっていることから、母親の手首Ｗ１への装着中であっても子供用リストバンド８が母親用リストバンド７から分離してしまうおそれを回避し、子供用リストバンド８を母親用リストバンド７から分離して出生児への子供用リストバンド８の巻付け操作も容易に行うことができる。
【００５０】
なお本発明において、内縁境界線９の分離強度を外縁境界線６の分離強度より大きくする構成としては、上述のフルカット、ハーフカット、および、もろい一部接続部１０を任意に組み合わせた二段階強度ないしは必要に応じて三段階強度を有するものとすることができる。
たとえば、既述した第１の実施例によるリストバンド連続体１およびリストバンド４のように、外縁境界線６をフルカットおよびハーフカットの組み合わせから構成するとともに、内縁境界線９をハーフットおよびもろい一部接続部１０の組み合わせから構成することができるとともに、外縁境界線６をハーフカットから構成し、内縁境界線９をハーフカットおよびもろい一部接続部１０の組み合わせから構成することができる。
あるいは、外縁境界線６および内縁境界線９ともにハーフカットから構成するが、そのハーフカットの深さについて、外縁境界線６のハーフカットをより深く形成するとともに、内縁境界線９のハーフカットをより浅く形成することもできる。もちろん、この場合にも、上記もろい一部接続部１０を内縁境界線９に設けておくように構成することもできる。
【００５１】
さらに本発明においては、バンド支持部３に母親用リストバンド７を単一に準備することはもちろん、子供用リストバンド８を複数枚準備しておくこともでき、出生児が双子以上の場合、あるいは子供の手首および足首の両方に子供用リストバンド８を取り付けておき、万が一、子供の手首あるいは足首のいずれか一方から子供用リストバンド８がはずれても、いずれか他方に取り付けた子供用リストバンド８により出生児を特定可能としておくことができる。
【００５２】
すなわち図６は、本発明の第２の実施例によるリストバンド連続体４０の平面図であって、リストバンド連続体４０は、前記バンド基材２にバンド支持部３およびリストバンド４１を形成している。
【００５３】
リストバンド４１は、母親用リストバンド４２と、一対の第１の子供用リストバンド４３および第２の子供用リストバンド４４と、を一体に有している。
リストバンド４１とバンド支持部３との間の分離は、外縁境界線４５の部分で行い、母親用リストバンド４２と第１の子供用リストバンド４３および第２の子供用リストバンド４４との間の分離は、第１の内縁境界線４６および第２の内縁境界線４７の部分で行う。
【００５４】
すなわち、外縁境界線４５、第１の内縁境界線４６および第２の内縁境界線４７の直線部分はこれをハーフカットとし、母親用リストバンド４２における移送方向上流側の分離開始側弧状端部４２Ａ、ならびに、第１の子供用リストバンド４３および第２の子供用リストバンド４４における移送方向上流側の分離開始側弧状端部４３Ａ、４４Ａはこれをフルカットとしている。
また、母親用リストバンド４２における移送方向下流側の分離終了側弧状端部４２Ｂ、ならびに、第１の子供用リストバンド４３および第２の子供用リストバンド４４における移送方向下流側の分離終了側弧状端部４３Ｂ、４４Ｂはこれをハーフカットとしている。
【００５５】
ただし、母親用リストバンド４２の分離終了側弧状端部４２Ｂの最先端弧状部４２Ｃ、ならびに、第１の子供用リストバンド４３の分離終了側弧状端部４３Ｂの最先端弧状部４３Ｃおよび第２の子供用リストバンド４４の分離終了側弧状端部４４Ｂの最先端弧状部４４Ｃをハーフカットとして、熱転写プリンター１１内での移送印字時における捲れ上がりの防止を確実化し、この最先端弧状部４２Ｃ、４３Ｃ、４４Ｃから第１の内縁境界線４６および第２の内縁境界線４７に至る弧状部分については、外縁境界線４５であっても、これをフルカットとしておくことにより、バンド支持部３からリストバンド４１として分離する際の切離し操作を確実にする。
さらに、第１の子供用リストバンド４３における移送方向上流側の分離開始側弧状端部４３Ａに対向する母親用リストバンド４２における外縁境界線４５の弧状部分対向直線部４２Ｄについては、外縁境界線４５であっても、これをフルカットとしておくことにより、バンド支持部３からリストバンド４１として分離する際の切離し操作を確実にする。
【００５６】
母親用リストバンド４２は母親用印字領域４８を有し、また、第１の子供用リストバンド４３は第１の子供用印字領域４９を有し、第２の子供用リストバンド４４は第２の子供用印字領域５０を有するが、第１の子供用リストバンド４３および第２の子供用リストバンド４４については、第２の内縁境界線４７を途中からやや屈曲させて、その子供用印字領域４９、５０の幅を確保している。
【００５７】
なお、第１の内縁境界線４６および第２の内縁境界線４７の両端側には、前記もろい一部接続部１０を任意の数だけ設けることにより、母親用リストバンド４２と、第１の子供用リストバンド４３および第２の子供用リストバンド４４との間の分離強度を、リストバンド４１全体をバンド支持部３から切り離す際の分離強度より大きくしている。
【００５８】
図７は、母親用リストバンド４２さらには第１の子供用リストバンド４３および第２の子供用リストバンド４４にバーコード２４およびその他必要な特定情報２５を目視可能に印字して表示した状態を示すバンド基材２の平面図であって、これらのバーコード２４および特定情報も、前記熱転写プリンター１１（図３）に装填することにより可変情報として印字可能である。
【００５９】
こうした構成のリストバンド連続体４０およびリストバンド４１においても、既述の第１の実施例によるリストバンド連続体１（図１）およびリストバンド４（図２）と同様に、とくに出生児が双子の場合あるいは出生児の手足にリストバンドを巻き付ける場合に、母子の特定に必要な母親用リストバンド４２、第１の子供用リストバンド４３および第２の子供用リストバンド４４に必要な特定情報２５を印字することができる。
【００６０】
さらに、接続線５の部分で切り離した一枚のバンド基材２において、バンド支持部３からリストバンド４１を分離するにあたって、母親用リストバンド４２のフルカットによる分離開始側弧状端部４２Ａから切り離し始めれば、そのハーフカットによる外縁境界線４５に沿ってリストバンド４１として、母親用リストバンド４２、第１の子供用リストバンド４３および第２の子供用リストバンド４４を一体的に容易かつ確実に分離することができる。
このリストバンド４１を、前記リストバンド４（図２）と同様に母親の手首Ｗ１に巻き付けるが、ハーフカットによる第１の内縁境界線４６および第２の内縁境界線４７にもろい一部接続部１０が形成されているので、母親用リストバンド４２から第１の子供用リストバンド４３および第２の子供用リストバンド４４が不用意に切り離されてしまうおそれを回避可能である。
出産後は、母親用リストバンド４２から第１の子供用リストバンド４３および第２の子供用リストバンド４４を分離して、出生児の手首および足首にそれぞれ巻き付けることができる。
【符号の説明】
【００６１】
１  リストバンド連続体（第１の実施例、図１）
２  バンド基材
３  バンド支持部
４  リストバンド（第１の実施例、図２）
５  ミシン目などによる接続線
６  外縁境界線
７  母親用リストバンド
７Ａ  母親用リストバンド７の分離開始側弧状端部（弧状端部）
７Ｂ  母親用リストバンド７の分離終了側弧状端部（弧状端部）
７Ｃ  母親用リストバンド７における外縁境界線６の弧状部分対向直線部
８  子供用リストバンド
８Ａ  子供用リストバンド８の分離開始側弧状端部（弧状端部）
８Ｂ  子供用リストバンド８の分離終了側弧状端部（弧状端部）
８Ｃ  子供用リストバンド８の分離終了側弧状端部８Ｂの最先端弧状部
９  内縁境界線
１０  もろい一部接続部
１１  熱転写プリンター（図３）
１２  リストバンド連続体１の供給部
１３  位置検出部
１４  印字部
１５  位置検出センサー
１６  位置検出用マーク
１７  サーマルヘッド
１８  プラテンローラー
１９  熱転写インキリボン
２０  供給軸
２１  巻取り軸
２２  母親用印字領域（印字領域）
２３  子供用印字領域（印字領域）
２４  バーコード
２５  特定情報
２６  はがし用の矢印
２７  セット孔
２８  セット孔
２９  調節孔
３０  調節孔
３１  母親用固定クリップ
３２  子供用固定クリップ
３３  印字進行方向矢印
４０  リストバンド連続体（第２の実施例、図６）
４１  リストバンド（第２の実施例、図６）
４２  母親用リストバンド
４２Ａ  母親用リストバンド４２の分離開始側弧状端部（弧状端部）
４２Ｂ  母親用リストバンド４２の分離終了側弧状端部（弧状端部）
４２Ｃ  母親用リストバンド４２の分離終了側弧状端部４２Ｂの最先端弧状部
４２Ｄ  母親用リストバンド４２における外縁境界線４５の弧状部分対向直線部
４３  第１の子供用リストバンド
４３Ａ  第１の子供用リストバンド４３の分離開始側弧状端部（弧状端部）
４３Ｂ  第１の子供用リストバンド４３の分離終了側弧状端部（弧状端部）
４３Ｃ  第１の子供用リストバンド４３の分離終了側弧状端部４３Ｂの最先端弧状部
４４  第２の子供用リストバンド
４４Ａ  第２の子供用リストバンド４４の分離開始側弧状端部（弧状端部）
４４Ｂ  第２の子供用リストバンド４４の分離終了側弧状端部（弧状端部）
４４Ｃ  第２の子供用リストバンド４４の分離終了側弧状端部４４Ｂの最先端弧状部
４５  外縁境界線
４６  第１の内縁境界線（内縁境界線）
４７  第２の内縁境界線（内縁境界線）
４８  母親用印字領域（印字領域）
４９  第１の子供用印字領域（印字領域）
５０  第２の子供用印字領域（印字領域）
Ｗ１  母親の手首（被巻付け部）
Ｗ２  子供の手首（被巻付け部）
【図１】
0006017931.tif 000002
【図２】
0006017931.tif 000003
【図３】
0006017931.tif 000004
【図４】
0006017931.tif 000005
【図５】
0006017931.tif 000006
【図６】
0006017931.tif 000007
【図７】
0006017931.tif 000008